(57)【特許請求の範囲】
【請求項１】
上方が開口し、内部に光走査系が収納された光学箱と、前記開口を塞ぐカバーを有する光走査装置において、
前記カバーを樹脂で形成して前記光学箱と係合する係止片を形成し、
前記係止片の前記光学箱との係止部に対して背面側に当たる部分と、当該背面側に当たる部分に対向する前記光学箱との間の空間に弾性部材を挿入することを特徴とする光走査装置。
【請求項２】
前記弾性部材を板ばねにより構成して前記筐体に貼付し、前記空間に圧入することを特徴とする請求項１に記載の光走査装置。
【請求項３】
前記弾性部材をゴムにより構成して前記空間に圧入することを特徴とする請求項１に記載の光走査装置。
【請求項４】
前記カバーに当該カバーを取り除く際の手掛かりとなる突起を形成したことを特徴とする請求項１ないし３のいずれか１項に記載の光走査装置。
【発明の詳細な説明】
【０００１】
【発明の属する技術分野】
本発明は、電子写真方式を用いたプリンタ、ファクシミリ、複写機等の光走査装置に関し、特に上方が開口した光学箱と開口を塞ぐカバーの密閉構造に関する。
【０００２】
【従来の技術】
光走査装置の上方が開口した光学箱と開口を塞ぐカバーの従来の密閉構造としては、例えば特開平１１−１４９３０号公報には、光学箱の上端の周縁およびカバーの外表面に弾性材を当接させてネジにより固定する構造が提案されている。
【０００３】
【発明が解決しようとする課題】
しかしながら、上記従来例では、カバーが複数のネジにより固定され、更に外表面に弾性材があるため、カバーを外すのに多くの手間を要するという不具合があった。
【０００４】
本発明は上記従来例の問題点に鑑み、カバーの密閉性を維持しながら着脱性を向上させることができる光走査装置を提供することを目的とする。
【０００５】
【課題を解決するための手段】
第１の手段は上記目的を達成するために、上方が開口し、内部に光走査系が収納された光学箱と、前記開口を塞ぐカバーを有する光走査装置において、前記カバーを樹脂で形成して前記光学箱と係合する係止片を形成し、前記係止片の前記光学箱との係止部に対して背面側に当たる部分と、当該背面側に当たる部分に対向する前記光学箱との間の空間に弾性部材を挿入することを特徴とする。
【０００６】
第２の手段は、第１の手段において前記弾性部材を板ばねにより構成して前記筐体に貼付し、前記空間に圧入することを特徴とする。
【０００７】
第３の手段は、第１の手段において前記弾性部材をゴムにより構成して前記空間に圧入することを特徴とする。
【０００９】
第４の手段は、第１〜第３の手段において前記カバーに前記係止片の係止を解除するための突起を形成したことを特徴とする。
【００１０】
【発明の実施の形態】
以下、図面を参照して本発明の実施の形態について説明する。図１は本発明に係る光走査装置の一実施形態を示す構成図、図２は図１の光走査装置を示す側面図、図３は図２のカバーの係止片を示す構成図、図４は図３の係止片と筐体の係止構造を示す構成図、図５は弾性体の一例として板バネを示す構成図、図６は弾性体の他の例としてゴムを示す構成図、図７は図３の突起を詳しく示す構成図である。
【００１１】
図１に示す光走査装置１は公知のレーザ光学系であり、光源である半導体レーザ（ＬＤとも呼ぶ）１１から出射されるレーザ光は、コリメートレンズ１２、アパーチャ１３、シリンダレンズ１４を経て、時計回り方向（矢印方向）に回転するモータに取付けられた多面鏡１５によって偏向され、結像レンズ１６を通過して、感光体（不図示）に至る。これらの光学部品１１〜１６は、光学箱として上方が開口した筐体２に収容され、筐体２の開口は、ほこり等の侵入を防ぐために図２に示すようなカバー３０により閉じられる。
【００１２】
また、走査光の一部は、感光体の走査に先だって、走査ごとの同期を取るために（その信号を基準として書込みの制御がなされる）、反射部材２１により向きを変え、補正光学部材（レンズ）２２を通過して、レーザ光源１１の駆動基板１８と同一基板上に搭載された光電素子１９に至る。光電素子１９は、光を受光し電気信号に変換して同期検知手段を構成している。上記のうち少なくとも、光源１１、コリメートレンズ１２、駆動基板１８とそれらを固定支持する支持部材１７で構成される単位を光源装置（ＬＤユニット）１０と呼ぶ。
【００１３】
ここで、光源にレーザを用いる機器においては、レーザ光が人体（目や皮膚等）に害を及ぼさないように安全策を施すことが安全規格で要求されている。カバー３０は工具を使わずには外せないことが要求されている。簡単な例では、ネジを用いてカバー３０を止めればネジを外すためにドライバが必要になるので要求を満たすことができる。
【００１４】
また、カバー３０が樹脂で作製されている場合は、図３に示すように複数の引っ掛け部３１（図の例では４箇所）を指で外せないように構成してして設けることにより、同様に要求を満たすことができる。しかし、カバー３０には３０Ｎの力に耐えることが要求されるため、引っ掛けだけの構成にすると引っ掛かり力を強くしなければならず、その分、逆に外し難くなるということがあった。そこで、本件では外し易さを考慮して引っ掛けの力は要求より弱くしておき、別部品にて耐力を得る構成にした。この別部品は工具を使って外す構成にする。
【００１５】
図３〜図７を参照してカバー３０について詳しく説明する。カバー３０は樹脂で形成され、複数（図の例では４箇所）の引っ掛け部３１を持つ。この引っ掛け部３１の先端を図４に示すように筐体２の被引っ掛け部２９（図１も参照）に引っ掛けると、カバー３０が閉じられた状態では、引っ掛け部３１と筐体２の間に空間３２ができる。この空間を埋めてしまえば、引っ掛け部３１が動くことができずカバー３０が外れなくできる。この空間を埋める手段として、弾性体の別部品を用いる。
【００１６】
実施例１として、弾性体の別部品を図５に示すような板ばね３５で構成する。板ばね３５は筐体２に両面テープ等３４により貼付される。このばね３５を工具を用いて空間３２から移動させることにより、カバー３０の引っ掛け部３１を筐体２から外すことができる。
【００１７】
実施例２として、弾性体の別部品を図６に示すようなゴム３６で構成する。ゴム自身の弾性を利用してゴム３６をカバー３０と筐体２の空間３２に詰める。カバー３０を外すときは、このゴム３６を工具を用いて外す。また、筐体２が黒色であるならば、ゴム３６を白色や灰色その他の色にしておけば、外見上の区別が付けられて便利である。
【００１８】
カバー３０の固定に関して言えば、上記の引っ掛け部３１以外にネジを併用しても構わない。また、カバー３０を筐体２から取り除く際の手掛かりとして、図３、図７に示すようにカバー３０に突起部３３を設けておくと便利である。
【００１９】
【発明の効果】
以上説明したように請求項１記載の発明によれば、筐体を塞ぐカバーを爪を引っ掛けて止める構成とし、さらに弾性体の別部品により爪を外れ難くしたので、カバーの密閉性を維持しながら着脱性を向上させることができる。
【００２０】
請求項２記載の発明によれば、弾性体の別部品を板ばねにて構成し、筐体に直接貼付したので、爪を外すのが容易でしかも剥がれることがない。
【００２１】
請求項３記載の発明によれば、弾性体の別部品をゴムにて構成し、カバーと筐体の間に圧入したので、それ自身の弾性によって取り付けが可能である。また、筐体と別色にすることで外見上の区別が容易になる。
【００２２】
請求項４記載の発明によれば、カバーの取り外しをさらに簡単にすることができる。
【図面の簡単な説明】
【図１】本発明に係る光走査装置の一実施形態を示す構成図である。
【図２】図１の光走査装置を示す側面図である。
【図３】図２のカバーの係止片を示す構成図である。
【図４】図３の係止片と筐体の係止構造を示す構成図である。
【図５】弾性体の一例として板バネを示す構成図である。
【図６】弾性体の他の例としてゴムを示す構成図である。
【図７】図３の突起を詳しく示す構成図である。
【符号の説明】
２  筐体
２９  被引っ掛け部
３０  カバー
３１  引っ掛け部
３２  空間
３３  突起部
３４  両面テープ
３５  板ばね
３６  ゴム
【図１】
0004355110.tif 000002
【図２】
0004355110.tif 000003
【図３】
0004355110.tif 000004
【図４】
0004355110.tif 000005
【図５】
0004355110.tif 000006
【図６】
0004355110.tif 000007
【図７】
0004355110.tif 000008